(57)【要約】【課題】調光の自動制御と在室者の希望を両立させる。【解決手段】室内の椅子４に着席検出スイッチ４−６と操作器４−１３を設ける。操作器４−１３は「ＯＮ」と「ＯＦＦ」の２つの位置にその操作位置を切り替えることができる。操作器４−１３が「ＯＮ」とされている場合、照明コントローラ５は、椅子４から送られてくる着席検出センサ４−６の検知結果に基づいて、椅子４が置かれたエリアの照明を制御（自動制御）する。操作器４−１３が「ＯＦＦ」とされると、照明コントローラ５は、着席検出センサ４−６の検知結果に基づく自動制御を中断し、椅子４が置かれたエリアの照明を強制的に消灯する。操作器４−１３が「ＯＦＦ」とされた後、「ＯＮ」とされれば、元の自動制御に復帰する。【選択図】  図５
2005235532.tif 000002
【特許請求の範囲】
【請求項１】
調光対象空間に人が存在するか否かを検知する人検知手段と、この人検知手段の検知結果に基づいて前記調光対象空間への光を制御する制御手段とを備えた調光制御システムにおいて、
前記調光対象空間に設けられた操作器と、
この操作器を介して入力される前記調光対象空間における在室者からの要求を前記制御手段へ送る送信手段とを備え、
前記制御手段は、前記操作器を介する在室者からの要求として手動操作要求を受信した場合、前記人検知手段の検知結果に基づく前記調光対象空間への光の制御を中断し、この調光対象空間への光の制御を前記受信した手動操作要求に従って行い、前記操作器を介する在室者からの要求として自動制御要求を受信した場合、前記手動操作要求に従う前記調光対象空間への光の制御を中断し、この調光対象空間への光の制御を前記人検知手段の検知結果に基づく制御に復帰させる
ことを特徴とする調光制御システム。
【請求項２】
請求項１に記載された調光制御システムにおいて、
前記調光対象空間に置かれた椅子に前記人検知手段と前記操作器とが設けられていることを特徴とする調光制御システム。
【請求項３】
調光対象空間を区画した調光ゾーン毎にその調光ゾーンに人が存在するか否かを検出する在室者検出手段と、この在室者検出手段の検出結果に基づいて前記調光ゾーン毎にそこへの光を制御する制御手段とを備えた調光制御システムにおいて、
前記調光ゾーン毎に設けられた操作器と、
これら操作器を介して各個に入力される各調光ゾーンにおける在室者からの要求を前記制御手段へ送る送信手段とを備え、
前記制御手段は、前記操作器を介する在室者からの要求として手動操作要求を受信した場合、その操作器が設けられた調光ゾーンへの前記人検知手段の検知結果に基づく光の制御を中断し、この調光ゾーンへの光の制御を前記受信した手動操作要求に従って行い、前記操作器を介する在室者からの要求として自動制御要求を受信した場合、その操作器が設けられた調光ゾーンへの前記手動操作要求に従う光の制御を中断し、この調光ゾーンへの光の制御を前記人検知手段の検知結果に基づく制御に復帰させる
ことを特徴とする調光制御システム。
【請求項４】
請求項３に記載された調光制御システムにおいて、
前記在室者検出手段は、
前記調光ゾーン毎に設けられた人検知手段と、これら人検知手段からの検知結果に基づき前記調光ゾーン毎に人が存在するか否かを判断する手段とを備え、
前記調光ゾーンに置かれた椅子に前記人検知手段と前記操作器とが設けられていることを特徴とする調光制御システム。
【発明の詳細な説明】
【技術分野】
【０００１】
この発明は、照明機器のオン／オフやブラインドの開閉などによって調光対象空間への光を制御する調光制御システムに関するものである。
【背景技術】
【０００２】
大会議室やオフィス等の広い空間を持つ施設内には多くの調光設備（照明機器やブラインドなど）が設けられている。このような施設において、必要なときに必要なゾーンへの光を適切に制御することができるならば、在室者の作業の便宜を図ると同時に調光に必要なエネルギーや光熱費の削減も図ることができる。
【０００３】
このような事情を考慮して、従来より、室内の在室者の有無および在室者の位置を自動的に検出して適切な調光制御を行う調光制御システムが考えられている。
【０００４】
例えば、特許文献１には、室内の天井に隣接して取り付けられた照明装置のそれぞれに人体の在／不在を検知する人検知センサを設け、人を最も近い距離に検知した照明装置を最も明るく点灯させ、次に近い距離に検知した照明装置をそれよりも暗く点灯させ、人を検知しなかった照明装置を消灯するように制御することが示されている。
【０００５】
また、特許文献２には、人体感知センサによって感知された居住空間での人間の有無パターンに応じて、ブラインドのスラット角度とブラインドの長さを調整する調光装置が示されている。この調光装置では、ニューラルネットワークを用いた学習により、人体感知センサによって感知した人間の存在場所情報と人数情報から最適なスラット角度とブラインド長さを推論する。
【０００６】
【特許文献１】特開２０００−２２８２９０号公報
【特許文献２】特開平７−２９３１４９号公報
【発明の開示】
【発明が解決しようとする課題】
【０００７】
しかしながら、上述した特許文献１に示された技術では、在室者が存在する場所は明るく照明が行われ、その近傍では比較的暗く照明が行われ、それ以外の場所では照明が行われないが、例えばそのエリアで会議を行うことになり、ＯＨＰ（Overhead Projector）を使用するために人が存在する場所も暗くしたいような場合、これに対応することができない。
【０００８】
また、特許文献２に示された技術では、ニューラルネットワークを用いた学習により、その時々の居住空間での人間の有無パターンに応じてブラインドのスラット角度とブラインド長さが最適値に調整されるが、例えばその居住空間でＯＨＰを使用した会議を行うために暗くしたいというような特殊なケースが生じた場合、これに対応することができない。
【０００９】
本発明は、このような課題を解決するためになされたもので、その目的とするところは、調光の自動制御と在室者の希望を両立させることができる調光制御システムを提供することにある。
【課題を解決するための手段】
【００１０】
このような目的を達成するために本発明は、調光対象空間に人が存在するか否かを検知する人検知手段と、この人検知手段の検知結果に基づいて調光対象空間への光を制御する制御手段とを備えた調光制御システムにおいて、調光対象空間に設けられた操作器と、この操作器を介して入力される調光対象空間における在室者からの要求を制御手段へ送る送信手段とを設け、制御手段に、操作器を介する在室者からの要求として手動操作要求を受信した場合、人検知手段の検知結果に基づく調光対象空間への光の制御を中断し、受信した手動操作要求に従って調光対象空間への光の制御を行い、操作器を介する在室者からの要求として自動制御要求を受信した場合、手動操作要求に従う調光対象空間への光の制御を中断し、この調光対象空間への光の制御を人検知手段の検知結果に基づく制御に復帰させる手段を設けたものである。
【００１１】
この発明によれば、通常は、人検知手段の検知結果に基づいて調光対象空間への光が制御（自動制御）される。例えば、誰もいない調光対象空間に人が入ると、自動的に照明が点灯したり、ブラインドが開いたりする。この自動制御によって調光対象空間が明るくされている状態において、在室者が操作器を操作し、暗くしたいという手動操作要求を制御手段に送ると、制御手段は、人検知手段の検知結果に基づく自動制御を中断し、照明を消灯したり、ブラインドを閉じたりして、調光対象空間を暗くする。手動操作要求に従って調光対象空間が暗くされている状態において、在室者が操作器を操作し、自動制御要求を制御手段に送ると、制御手段は、手動操作要求に従う制御を中断し、元の人検知手段の検知結果に基づく自動制御に戻す。
【００１２】
なお、本発明において、操作器は、調光対象空間の壁などに１つだけ設けてもよいが、例えば調光対象空間に置かれる椅子に１つずつ設けるようにすれば、在室者は椅子に座ったままで制御手段へ即座に要求を伝えることができる。また、本発明において、人検知手段は、調光対象空間の天井などに１つだけ設けてもよいが、例えば調光対象空間に置かれる椅子に１つずつ設けるようにすれば、在室者の在／不在の検出が確実となる。
また、本発明において、在室者からの操作器を介する制御手段への手動操作要求は照明を消灯させる消灯要求やブラインドを閉じるブラインド閉要求などであってもよいし、照明の強弱やブラインドの開度を指定する要求などであってもよい。
【００１３】
また、本発明において、調光対象空間は区画された調光ゾーンによって構成されていてもよい。この場合、調光ゾーン毎に操作器を設け、これら操作器を介して各個に入力される各調光ゾーンにおける在室者からの要求を制御手段へ送る送信手段を設ける。そして、制御手段により、操作器を介する在室者からの要求として手動操作要求を受信した場合、その操作器が設けられた調光ゾーンへの人検知手段の検知結果に基づく光の制御を中断し、受信した手動操作要求に従って調光ゾーンへの光の制御を行い、操作器を介する在室者からの要求として自動制御要求を受信した場合、その操作器が設けられた調光ゾーンへの手動操作要求に従う光の制御を中断し、この調光ゾーンへの光の制御を人検知手段の検知結果に基づく制御に復帰させるようにする。
【００１４】
また、本発明において、調光対象空間は区画された調光ゾーンによって構成する場合、在室者検出手段は、調光ゾーン毎に設けられた人検知手段からの検知結果に基づき調光ゾーン毎に人が存在するか否かを判断する手段を設け、調光ゾーンに置かれた椅子に人検知手段と操作器とを設ける。この場合、人検知手段は例えば椅子に設けられる着席検出センサに対応し、調光ゾーン毎に人が存在するか否かを判断する手段は例えば照明コントローラやブラインドコントローラに設けられるＣＰＵに対応する。
【発明の効果】
【００１５】
本発明によれば、通常は人検知手段の検知結果に基づいて調光対象空間への光が制御（自動制御）され、在室者が操作器を操作して手動操作要求を制御手段に送れば、人検知手段の検知結果に基づく自動制御が一時的に中断され、手動操作要求に従う制御が実行され、会議でＯＨＰを見るなどの特殊なケースが発生した場合、照明を消灯したり、ブラインドを閉じたりして調光対象空間を暗くすることが可能となり、調光の自動制御と在室者の希望を両立させることができるようになる。
【発明を実施するための最良の形態】
【００１６】
以下、本発明を図面に基づいて詳細に説明する。
〔実施の形態１：照明制御システム〕
図１はこの発明に係る調光制御システムの一実施の形態を示す照明制御システムの構成図である。同図において、１は４つのエリア（調光ゾーン：以下、サブエリアと呼ぶ）ＡＲ１〜ＡＲ４に区画された室内（調光対象空間）、２は室内１の中央部天井に設けられたメイン照明装置（以下、メイン照明と呼ぶ）、３−１〜３−４はサブエリアＡＲ１〜ＡＲ４の中央部天井に設けられたサブ照明装置（以下、サブ照明と呼ぶ）である。
【００１７】
室内１には複数の送信機能付き椅子４が設けられている。図２に送信機能付き椅子４の外観を例示する。図４に送信機能付き椅子４に搭載された装置のブロック図を示す。
送信機能付き椅子（以下、単に椅子と言う）４には、メッセージ生成プログラム４Ａを実行するＣＰＵ４−１と、ＣＰＵ４−１が生成した送信メッセージ（後述）をアンテナ４−２を介して無線信号として送信する送信モジュール４−３と、ＣＰＵ４−１および送信モジュール４−３などの各部に電源を供給する電池４−４と、利用者の着席を検出するとともに、利用者の着席によりオンして自身の接点４−５を閉じて電池４−４からの電源をＣＰＵ４−１などに供給させる着席検出スイッチ４−６と、制御に必要な各種の情報を設定する設定器４−７と、椅子４に対して定められたＩＤ（椅子ＩＤ）を記憶する記憶部４−８と、タイマ４−９と、椅子４の移動距離を積算して相対座標（椅子相対座標）として記憶部４−１０に記憶するエンコーダ４−１１と、記憶部４−１０の相対座標をクリアするリセットスイッチ４−１２と、「ＯＮ」と「ＯＦＦ」の２つの位置にその操作位置を切り替えることが可能な操作器４−１３とが設けられている。操作器４−１３は、図２に示されているように、椅子４の肘掛けの部分に取り付けられている。
【００１８】
この椅子４に利用者が着席すると（図３参照）、これが着席検出スイッチ４−６によって検出され、この着席検出スイッチ４−６の検出情報（着席検出情報）と、記憶部４−８に記憶された椅子ＩＤと、記憶部４−１０に記憶された相対座標と、操作器４−１３の操作位置に応じた設定コマンド（０：「ＯＦＦ」、１：「ＯＮ」）からなる送信メッセージがＣＰＵ４−１により作成され、送信モジュール４−３よりアンテナ４−２を介して無線信号として送信される。以降、利用者の着席中は、椅子４から間欠的に送信メッセージが送信される。
【００１９】
利用者の着席中、椅子４は、エンコーダ４−１１により現在の座標を検出し、その検出座標を、定位置座標を（０，０）とした相対座標（ｘ，ｙ）として記憶部４−１０に記憶するとともに、この記憶部４−１０に記憶されている椅子４の相対ｘ座標と相対ｙ座標とを椅子ＩＤと着席検出情報と設定コマンドとに付加した送信メッセージを送信する。エンコーダ４−１１の座標の検出は、マウスと同一の原理であり、誤差が大となると定位置でリセットスイッチ４−１２を押下することにより記憶部４−１０の相対座標を「０」にすることができる。
【００２０】
メイン照明２およびサブ照明３−１〜３−４に対しては、これらメイン照明２およびサブ照明３−１〜３−４へ制御指令を送る照明コントローラ５が設けられている。照明コントローラ５には、データベース５−１と、メイン照明２およびサブ照明３−１〜３−４への制御指令を生成する照明制御プログラム５Ａを実行するＣＰＵ５−２と、室内１における各椅子４から送信されてくる送信メッセージ（椅子ＩＤ、椅子相対座標、着席検出情報、設定コマンド）を受信する受信器５−３とが設けられている。
【００２１】
受信器５−３には、図５に示すように、ＣＰＵ５−３１と、受信モジュール５−３２と、通信モジュール５−３３とが設けられ、椅子４からの無線信号が受信モジュール５−３２で受信されると、ＣＰＵ５−３１は、メッセージ生成プログラム５Ｂを実行して、受信した無線信号に含まれる椅子ＩＤ、椅子相対座標、着席検出情報および設定コマンドからなる送信メッセージのプロトコル変換を行い、このプロトコル変換された送信メッセージを通信モジュール５−３３を介してＣＰＵ５−２へ送る。
【００２２】
データベース５−１には、室内１に設けられた各椅子４の椅子ＩＤに対してその椅子４の定位置座標が登録されている。ＣＰＵ５−２は、受信器５−３からの送信メッセージを受信すると、その送信メッセージに含まれる椅子ＩＤに応じた椅子４の定位置座標をデータベース５−１から読み出し、この読み出した定位置座標と送信メッセージに含まれる椅子相対座標とに基づいてその椅子４の絶対座標（椅子絶対座標）を算出し、この算出した椅子４の絶対座標からその椅子４が位置するエリアの番号（エリアＮＯ．）を求め、この椅子４のエリアＮＯ．と椅子ＩＤとを椅子情報としてデータベース５−１内の椅子情報テーブルＴＢ１に登録する。図６（ａ）に椅子情報テーブルＴＢ１への椅子ＩＤとエリアＮＯ．の登録状況を例示する。
【００２３】
また、ＣＰＵ５−２は、室内１の各椅子４について、受信器５−３からの送信メッセージを受信する毎に、離席判定タイマ（ソフトタイマ）ＴＭをリセットして再起動し、起動中の離席判定タイマＴＭがタイムアップすると、その椅子４から利用者が離席したと判断して、データベース５−１の椅子情報テーブルＴＢ１に登録されているその椅子４の椅子情報（椅子ＩＤ、エリアＮＯ．）を削除する。
【００２４】
照明コントローラ５には、各椅子４からの送信メッセージだけではなく、外部設定器６からの外部設定情報も与えられる。外部設定器６は、室内１の全体に対して設けられており、室内１に設けられたメイン照明２およびサブ照明３−１〜３−４に対して、「強制オフ」、「強制オン」、「自動制御」の３モードを個別に設定することができる。
【００２５】
例えば、メイン照明２について「強制オフ」を設定すれば、外部設定器６からは外部設定情報として、メイン照明であることを示す「エリアＮＯ．０」と、「強制オフ」であることを示す「入力値０」が照明コントローラ５へ送られる。
【００２６】
また、サブ照明３−１について「強制オフ」を設定すれば、外部設定器６からは外部設定情報として、サブエリアＡＲ１におけるサブ照明であることを示す「エリアＮＯ．１」と、「強制オフ」であることを示す「入力値０」が照明コントローラ５へ送られる。なお、外部設定情報において、「入力値１」は「強制オン」であることを示し、「入力値２」は「自動制御」であることを示す。
【００２７】
データベース５−１には、椅子情報テーブルＴＢ１だけではなく、サブエリアデータテーブルＴＢ２やメイン照明データテーブルＴＢ３が設けられ、このサブエリアデータテーブルＴＢ２やメイン照明データテーブルＴＢ３に対するデータの書き替えがＣＰＵ５−２によって行われる。図６（ｂ）にサブエリアデータテーブルＴＢ２に書き込まれたデータの初期状態を例示する。図６（ｃ）にメイン照明データテーブルＴＢ３に書き込まれたデータの初期状態を例示する。
【００２８】
サブエリアデータテーブルＴＢ２は、室内１のサブエリアＡＲ１〜ＡＲ４を示すエリアＮＯ．１〜４に対するデータ項目として、「在室者数」、「外部設定器状態」、「コマンド」および「ステータス」を有している。初期状態において、各サブエリアの「在室者数」は「０」、「外部設定器状態」は「自動」、「コマンド」は「ＯＮ」、「ステータス」は「ＯＦＦ」とされている。なお、「外部設定器状態」の「自動」は、そのエリア内のサブ照明３に対する外部設定器６からの要求が「自動制御」であることを表す。また、「コマンド」の「ＯＮ」は、そのエリア内のサブ照明３に対する在室者からの要求が「点灯（自動制御）」であることを表し、「ステータス」の「ＯＦＦ」はそのエリア内のサブ照明３の状態が「消灯」であることを表す。
【００２９】
メイン照明データテーブルＴＢ３は、室内１のメインエリアＡＲ０（サブエリアＡＲ１〜ＡＲ４を合わせた領域）を示すエリアＮＯ．０に対するデータ項目として、「外部設定器状態」、「コマンド」および「ステータス」を有している。初期状態において、メインエリアＡＲ０の「外部設定器状態」は「自動」、「コマンド」は「ＯＦＦ」、「ステータス」は「ＯＦＦ」とされている。なお、「外部設定器状態」の「自動」は、メイン照明２に対する外部設定器６からの要求が「自動制御」であることを示す。また、「コマンド」の「ＯＦＦ」は、メイン照明２に対する照明コントローラ５からの要求が「消灯」であることを示し、「ステータス」の「ＯＦＦ」はメイン照明２の状態が「消灯」であることを示す。
【００３０】
以下、照明制御プログラム５Ａによって実行されるメイン照明２およびサブ照明３−１〜３−４の照明制御について、図７，図８および図９に分割して示したフローチャートを参照しながら説明する。
【００３１】
〔在室者数０人〕
今、一例として、外部設定器６からのメイン照明２およびサブ照明３−１〜３−４に対する設定が全て「自動制御」とされているとする。また、データベース５−１内のサブエリアデータテーブルＴＢ２およびメイン照明データテーブルＴＢ３が図６（ｂ）および（ｃ）に示された初期状態にあるものとする。また、室内１には誰も人がおらず、メイン照明２およびサブ照明３−１〜３−４が全て消灯しているものとする。また、室内１における全ての椅子４（４１〜４８）は、その操作器４−１３の操作位置が「ＯＮ」の位置にされているものとする。
【００３２】
〔在室者数増：０人→１人〕
このような状況において（図１０（ａ）参照）、室内１に人が入り、その人がサブエリアＡＲ１の椅子４１に着席したとする（図１０（ｂ）参照）。これにより、室内１の在室者数は１人増え、０人から１人となる。この場合、本実施の形態では、自動的にメイン照明２とサブ照明３−１が点灯する。以下、その動作について説明する。
【００３３】
〔在室者数の計算〕
椅子４１では、人が着席すると、着席検出スイッチ４−６がオンして自己の接点４−５を閉じ、これによって電池４−４からの電源がＣＰＵ４−１をはじめとする椅子４の各部に供給されるとともに、電源が供給されたＣＰＵ４−１が起動されてメッセージ生成プログラム４Ａを実行する。
【００３４】
ここで、ＣＰＵ４−１は、先ず着席検出スイッチ４−６の接点４−５のオンを検出すると、この検出情報（着席検出情報）と、記憶部４−８および４−１０からそれぞれ読み出した椅子４４の椅子ＩＤおよび椅子相対座標と、操作器４−１３の操作位置（「ＯＮ」位置）に応じた設定コマンド（１：「ＯＮ」）からなる送信メッセージを作成する。そして、この作成した送信メッセージを送信モジュール４−３に出力し、送信モジュール４−３からアンテナ４−２を介して無線信号として送信する。
【００３５】
椅子４１から送信された無線信号は照明コントローラ５の受信器５−３で受信される。受信器５−３のＣＰＵ５−３１は、椅子４１からの無線信号を受信すると、この受信した無線信号に含まれる着席検出情報、椅子ＩＤ、椅子相対座標および設定コマンドからなる送信メッセージのプロトコル変換を行い、通信モジュール５−３３を介してＣＰＵ５−２へ送る。
【００３６】
ＣＰＵ５−２は、受信器５−３からの送信メッセージを受信すると、照明制御プログラム５Ａを実行する。図７はこの照明制御プログラム５Ａに従うＣＰＵ５−２の処理動作のスタート部分を示すフローチャートである。
【００３７】
ＣＰＵ５−２は、受信器５−３からの送信メッセージに含まれる着席検出情報に基づき椅子４４へ人が着席したと判断し（ステップ１０１の「在席」）、その送信メッセージに含まれる椅子ＩＤがデータベース５−１内の椅子情報テーブルＴＢ１に未登録であることを確認のうえ（ステップ１０２のＮＯ）、その椅子ＩＤを椅子情報テーブルＴＢ１に登録する（ステップ１０３）。
【００３８】
そして、ＣＰＵ５−２は、その送信メッセージに含まれる椅子ＩＤによって特定される椅子４１の定位置座標をデータベース５−１から読み出し、この読み出した定位置座標と送信メッセージに含まれる相対座標とに基づいてその椅子４１の絶対座標を算出し（ステップ１０４）、この算出した椅子４１の絶対座標から椅子４１が位置するサブエリアのエリアＮＯ．を求め（ステップ１０５）、椅子情報テーブルＴＢ１に先の椅子ＩＤと対応して登録する（ステップ１０６）。この場合、椅子４１が位置するエリアとしてサブエリアＡＲ１が求められ、サブエリアＡＲ１のエリアＮＯ．１が椅子４１の椅子ＩＤと対応して椅子情報テーブルＴＢ１に登録される。
【００３９】
椅子４１は、利用者の着席中、間欠的に送信メッセージを送信する。この場合、図７に示したフローチャートでは、在席中ではあるがその送信メッセージに含まれる椅子ＩＤは椅子情報テーブルＴＢに既に登録済みであると判断され（ステップ１０２のＹＥＳ）、その椅子４１の定位置座標と相対座標とから算出される絶対座標から求められる椅子４１が位置するサブエリアのエリアＮＯ．のみが椅子情報テーブルＴＢ２に更新・登録される。
【００４０】
次に、ＣＰＵ５−２は、椅子情報テーブルＴＢ１の登録内容に基づき、椅子４１が位置するサブエリアＡＲ１の在室者数とメインエリアＡＲ０すなわち全エリアのトータル在室者数を計算する（ステップ１１０）。この場合、サブエリアＡＲ１の在室者数、全エリアのトータル在室者数は共に１人と計算される。このサブエリアＡＲ１の在室者数およびトータル在室者数の計算後、ＣＰＵ５−２は、サブ照明制御処理とメイン照明制御処理を行う。
【００４１】
〔メイン照明制御処理〕
図８はＣＰＵ５−２が実行するメイン照明制御処理のフローチャートである。ＣＰＵ５−２は、データベース５−１に格納されているメイン照明データテーブルＴＢ３にアクセスし、メインエリアＡＲ０に対する「外部設定器状態」を確認する（ステップ１１１）。この例では、メインエリアＡＲ０に対する「外部設定器状態」は「自動」とされているので、ステップ１１２へ進む。
【００４２】
ステップ１１２において、ＣＰＵ５−２は、先のステップ１１０で算出した全エリアのトータル在室者数が０であるか否かをチェックする。この場合、全エリアのトータル在室者数は１であるので、メイン照明２を点灯する（ステップ１１３）。そして、メイン照明データテーブルＴＢ３のデータを更新し（ステップ１１４）、その「コマンド」および「ステータス」を共に「ＯＮ」とする。
【００４３】
〔サブ照明制御処理〕
図９はＣＰＵ５−２が実行するサブ照明制御処理のフローチャートである。ＣＰＵ５−２は、データベース５−１に格納されているサブエリアデータテーブルＴＢ２にアクセスし、このサブエリアデータテーブルＴＢ２のデータを更新する（ステップ１２０）。この例では、先のステップ１１０においてサブエリアＡＲ１の在室者数が１と算出されているので、サブエリアデータテーブルＴＢ２におけるエリアＮＯ．１の「在室者数」を０から１に変更する。
【００４４】
そして、ＣＰＵ５−２は、サブエリアデータテーブルＴＢ２におけるエリアＮＯ．１の「外部設定器状態」を確認する（ステップ１２１）。この例では、エリアＮＯ．１に対する「外部設定器状態」は「自動」とされているので、ステップ１２２へ進む。ステップ１２２において、ＣＰＵ５−２は、エリアＮＯ．１の在室者数が０であるか否かをチェックする。この場合、エリアＮＯ．１の在室者数は１であるので、ステップ１２３へ進む。ステップ１２３では、サブエリアデータテーブルＴＢ２におけるエリアＮＯ．１の「コマンド」と「ステータス」とが一致しているか否かを確認する。この場合、「コマンド」が「ＯＮ」、「ステータス」が「ＯＦＦ」となっているので、ステップ１２３でのＮＯに応じ、ステップ１２４へ進む。
【００４５】
ステップ１２４において、ＣＰＵ５−２は、サブエリアデータテーブルＴＢ２におけるエリアＮＯ．１のコマンド値「ＯＮ」を制御指令としてサブ照明３−１へ送り、サブ照明３−１を点灯させる。また、サブエリアデータテーブルＴＢ２におけるエリアＮＯ．１に対する「ステータス」を「ＯＦＦ」から「ＯＮ」に変更する。
【００４６】
〔在室者数増：１人→０人〕
図１０（ｂ）に示した状態から、サブエリアＡＲ１内の人が椅子４１から離席し、室内１の外に出たとする（図１０（ｃ）参照）。これにより、室内１の在室者数は１人減り、１人から０人となる。この場合、本実施の形態では、自動的にメイン照明２とサブ照明３−１が消灯する。
【００４７】
〔動作〕
〔在室者数の計算〕
ＣＰＵ５−２は、椅子４１からの送信メッセージを受信する毎に、離席判定タイマＴＭをリセットして再起動する。椅子４１から人が離席すると、椅子４１から送信メッセージが送られなくなる。このため、起動中の離席判定タイマＴＭがタイムアップする。すると、ＣＰＵ５−２は、椅子４１から人が離席したと判断して（ステップ１０１の「離席」）、椅子情報テーブルＴＢ１に登録されている椅子４１の椅子ＩＤとエリアＮＯ．を削除する（ステップ１０７，１０８，１０９）。
【００４８】
ＣＰＵ５−２は、椅子情報テーブルＴＢ１からの椅子４１の椅子ＩＤとエリアＮＯ．の削除後、椅子情報テーブルＴＢ１の登録内容に基づき、椅子４１が位置するサブエリアＡＲ１の在室者数と全エリアのトータル在室者数を計算する（ステップ１１０）。この場合、サブエリアＡＲ１の在室者数、全エリアのトータル在室者数は共に０人と計算される。このサブエリアＡＲ１の在室者数およびトータル在室者数の計算後、ＣＰＵ５−２は、サブ照明制御処理とメイン照明制御処理を行う。
【００４９】
〔メイン照明制御処理〕
ＣＰＵ５−２は、データベース５−１に格納されているメイン照明データテーブルＴＢ３にアクセスし、メインエリアに対する「外部設定器状態」を確認する（ステップ１１１）。この例では、メインエリアに対する「外部設定器状態」は「自動」とされているので、ステップ１１２へ進む。
【００５０】
ステップ１１２において、ＣＰＵ５−２は、先のステップ１１０で算出した全エリアのトータル在室者数が０であるか否かをチェックする。この場合、全エリアのトータル在室者数は＝０であるので、メイン照明２を消灯する（ステップ１１５）。そして、メイン照明データテーブルＴＢ３のデータを更新し（ステップ１１６）、その「コマンド」および「ステータス」を共に「ＯＦＦ」とする。
【００５１】
〔サブ照明制御処理〕
ＣＰＵ５−２は、データベース５−１に格納されているサブエリアデータテーブルＴＢ２にアクセスし、このサブエリアデータテーブルＴＢ２のデータを更新する（ステップ１２０）。この例では、先のステップ１１０においてサブエリアＡＲ１の在室者数が０と算出されているので、サブエリアデータテーブルＴＢ２におけるエリアＮＯ．１の在室者数を１から０に変更する。
【００５２】
そして、ＣＰＵ５−２は、サブエリアデータテーブルＴＢ２におけるエリアＮＯ．１に対する「外部設定器状態」を確認する（ステップ１２１）。この例では、エリアＮＯ．１に対する「外部設定器状態」は「自動」とされているので、ステップ１２２へ進む。ステップ１２２において、ＣＰＵ５−２は、先のステップ１１０で算出したエリアＮＯ．１の在室者数が０であるか否かをチェックする。この場合、エリアＮＯ．１の在室者数は０であるので、ステップ１２５へ進む。
【００５３】
ステップ１２５では、サブエリアデータテーブルＴＢ２におけるエリアＮＯ．１の現在の「ステータス」をチェックする。この場合、エリアＮＯ．１の現在の「ステータス」は「ＯＮ」となっているので、ステップ１２６へ進む。
ステップ１２６において、ＣＰＵ５−２は、制御指令として「ＯＦＦ」をサブ照明３−１へ送り、サブ照明３−１を消灯させる。また、サブエリアデータテーブルＴＢ２におけるエリアＮＯ．１に対する「ステータス」を「ＯＮ」から「ＯＦＦ」に変更する。
【００５４】
〔在室者数増：１人→２人〕
図１０（ｂ）に示した状態から、室内１に新たに人が入り、その人がサブエリアＡＲ１の椅子４２に着席したとする（図１０（ｄ）参照）。これにより、室内１の在室者数はさらに１人増え、１人から２人となる。この場合、本実施の形態では、メイン照明２の点灯およびサブ照明３−１の点灯が維持される。
【００５５】
〔動作〕
ＣＰＵ５−２は、図７に示したステップ１１０において、サブエリアＡＲ１の在室者数、全エリアのトータル在室者数を共に２人と計算する。
ＣＰＵ５−２は、全エリアのトータル在室者数が２人であるので、図８に示したメイン照明制御処理においてステップ１１３，１１４への処理へと進む。この場合、メイン照明２へ制御指令として「ＯＮ」を送るが、メイン照明２は既に点灯しているので、その点灯状態が維持される。
【００５６】
また、ＣＰＵ５−２は、サブエリアＡＲ１の在室者数が２人であるので、図９に示したサブ照明制御処理においてステップ１２３への処理へと進む。この場合、サブエリアデータテーブルＴＢ２におけるエリアＮＯ．１の「コマンド」と「ステータス」とは共に「ＯＮ」で一致しているので、ステップ１２３でのＹＥＳに応じて処理を終了する。これにより、サブ照明３−１の点灯状態が維持される。
【００５７】
〔在室者数１人、操作器ＯＦＦ〕
図１０（ｂ）に示した状態から、サブエリアＡＲ１内の椅子４１に着席している人が操作器４−１３を操作し、その操作位置を「ＯＦＦ」位置に切り替えたとする。この場合、本実施の形態では、人が着席している椅子４１が位置するサブエリアＡＲ１のサブ照明３−１が消灯する（図１１（ｂ）参照）。メイン照明２は点灯状態を維持する。
【００５８】
〔動作〕
椅子４１は、利用者の着席中、間欠的に送信メッセージを送信する。椅子４１において、操作器４−１３の操作位置が「ＯＦＦ」位置に切り替えられると、その送信メッセージに含まれる設定コマンドが「ＯＦＦ」とされる。この設定コマンドの「ＯＦＦ」が本発明でいう「在室者からの手動操作要求」に相当する。
【００５９】
ＣＰＵ５−２は、椅子４１からの送信メッセージを受けて、その送信メッセージに含まれる設定コマンドが「ＯＮ」から「ＯＦＦ」に変更されたことを認識し、データベース５−１に格納されているサブエリアデータテーブルＴＢ２のデータを更新する（図１２に示すステップ１２０）。なお、図１２は、説明を分かり易くするために、図９に示したサブ照明制御処理のフローチャートを転記したものである。この場合、サブエリアデータテーブルＴＢ２におけるエリアＮＯ．１の「コマンド」を「ＯＮ」から「ＯＦＦ」に変更する。
【００６０】
そして、ＣＰＵ５−２は、サブエリアデータテーブルＴＢ２におけるエリアＮＯ．１の「外部設定器状態」を確認する（ステップ１２１）。この例では、エリアＮＯ．１に対する「外部設定器状態」は「自動」とされているので、ステップ１２２へ進む。ステップ１２２において、ＣＰＵ５−２は、エリアＮＯ．１の在室者数が０であるか否かをチェックする。この場合、エリアＮＯ．１の在室者数は１であるので、ステップ１２３へ進む。ステップ１２３では、サブエリアデータテーブルＴＢ２におけるエリアＮＯ．１の「コマンド」と「ステータス」とが一致しているか否かを確認する。この場合、「コマンド」が「ＯＦＦ」、「ステータス」が「ＯＮ」となっているので、ステップ１２３でのＮＯに応じ、ステップ１２４へ進む。
【００６１】
ステップ１２４において、ＣＰＵ５−２は、サブエリアデータテーブルＴＢ２におけるエリアＮＯ．１のコマンド値「ＯＦＦ」を制御指令としてサブ照明３−１へ送り、サブ照明３−１を強制的に消灯させる。また、サブエリアデータテーブルＴＢ２におけるエリアＮＯ．１の「ステータス」を「ＯＮ」から「ＯＦＦ」に変更する。
【００６２】
なお、在室者からの手動操作要求によってサブ照明３−１が強制的に消灯されると、サブエリアＡＲ１における在室者数に基づく自動制御は行われなくなる。すなわち、サブエリアＡＲ１における在室者数が０になった場合、エリアＮＯ．１の「ステータス」は「ＯＦＦ」であるので、サブ照明３−１は消灯状態を続ける（ステップ１２５の「ＯＦＦ）。サブエリアＡＲ１における在室者数が０の状態で、新たに人がサブエリアＡＲ１に入り、サブエリアＡＲ１における在室者数が増えても、サブエリアデータテーブルＴＢ２におけるエリアＮＯ．１の「コマンド」と「ステータス」は共に「ＯＦＦ」とされているので、サブ照明３−１は消灯状態を続ける（ステップ１２３のＹＥＳ）。
【００６３】
〔在室者数１人、操作器ＯＮ〕
図１１（ｂ）に示した状態から、サブエリアＡＲ１内の椅子４１に着席している人が操作器４−１３を操作し、その操作位置を「ＯＮ」位置に切り替えたとする。この場合、本実施の形態では、サブ照明３−１が点灯し、サブエリアＡＲ１における在室者数に基づく自動制御に復帰する（図１１（ｃ）参照）。メイン照明２は点灯状態を維持する。
【００６４】
〔動作〕
椅子４１は、利用者の着席中、間欠的に送信メッセージを送信する。椅子４１において、操作器４−１３の操作位置が「ＯＮ」位置に切り替えられると、その送信メッセージに含まれる設定コマンドが「ＯＮ」とされる。この設定コマンドの「ＯＮ」が本発明でいう「在室者からの自動制御要求」に相当する。
【００６５】
ＣＰＵ５−２は、椅子４１からの送信メッセージを受けて、その送信メッセージに含まれる設定コマンドが「ＯＦＦ」から「ＯＮ」に変更されたことを認識し、データベース５−１に格納されているサブエリアデータテーブルＴＢ２のデータを更新する（図１２に示すステップ１２０）。この場合、サブエリアデータテーブルＴＢ２におけるエリアＮＯ．１の「コマンド」を「ＯＦＦ」から「ＯＮ」に変更する。
【００６６】
そして、ＣＰＵ５−２は、サブエリアデータテーブルＴＢ２におけるエリアＮＯ．１の「外部設定器状態」を確認する（ステップ１２１）。この例では、エリアＮＯ．１に対する「外部設定器状態」は「自動」とされているので、ステップ１２２へ進む。ステップ１２２において、ＣＰＵ５−２は、エリアＮＯ．１の在室者数が０であるか否かをチェックする。この場合、エリアＮＯ．１の在室者数は１であるので、ステップ１２３へ進む。ステップ１２３では、サブエリアデータテーブルＴＢ２におけるエリアＮＯ．１の「コマンド」と「ステータス」とが一致しているか否かを確認する。この場合、「コマンド」が「ＯＮ」、「ステータス」が「ＯＦＦ」となっているので、ステップ１２３でのＮＯに応じ、ステップ１２４へ進む。
【００６７】
ステップ１２４において、ＣＰＵ５−２は、サブエリアデータテーブルＴＢ２におけるエリアＮＯ．１のコマンド値「ＯＮ」を制御指令としてサブ照明３−１へ送り、サブ照明３−１を点灯させる。また、サブエリアデータテーブルＴＢ２におけるエリアＮＯ．１の「ステータス」を「ＯＦＦ」から「ＯＮ」に変更する。これにより、サブエリアＡＲ１におけるサブ照明制御は、一時的に中断されていた在室者数に基づく自動制御に復帰する。
【００６８】
〔操作器からの要求の後優先〕
〔在室者数２人、１人目が操作器ＯＦＦ〕
図１３（ａ）に示した状態から、サブエリアＡＲ１内の椅子４１に着席している人が操作器４−１３を操作し、その操作位置を「ＯＦＦ」位置に切り替えたとする。この場合、サブ照明３−１が消灯する（図１３（ｂ）参照）。メイン照明２は点灯状態を維持する。図１４（ｂ）にこの時のサブエリアデータテーブルＴＢ２の更新状況を示す。
【００６９】
〔在室者数２人、２人目が操作器ＯＮ〕
図１３（ｂ）に示した状態から、サブエリアＡＲ１内の椅子４２に着席している人が操作器４−１３を操作し、その操作位置を「ＯＮ」位置に切り替えたとする。この場合、サブ照明３−１が点灯し、サブエリアＡＲ１における在室者数に基づく自動制御に復帰する（図１３（ｃ）参照）。メイン照明２は点灯状態を維持する。図１４（ａ）にこの時のサブエリアデータテーブルＴＢ２の更新状況を示す。
【００７０】
このように、本実施の形態において、ＣＰＵ５−２は、椅子４の操作器４−１２を介する在室者からの要求（手動操作要求、自動制御要求）を後優先で受け付けるので、在室者は何時でも自分の好きなタイミングで、自分のいるエリアのサブ照明を消灯させたり、点灯させたりすることができる。
【００７１】
〔外部設定器からの操作〕
上述では、外部設定器６からのメイン照明２およびサブ照明３−１〜３−４に対する設定が全て「自動制御」とされているものとした。本実施の形態において、外部設定器６からは、室内１に設けられたメイン照明２およびサブ照明３−１〜３−４に対して、「強制オフ」、「強制オン」、「自動制御」の３モードを個別に設定することができる。
【００７２】
〔メイン照明、強制オフ〕
外部設定器６において、メイン照明２について「強制オフ」を設定すれば、外部設定情報として「エリアＮＯ．０」と「入力値０」が照明コントローラ５へ送られる。ＣＰＵ５−２は、外部設定器６からの外部設定情報を受けて、その外部設定情報に含まれるエリアＮＯ．をチェックする（図１５に示すステップ２０１）。この場合、エリアＮＯ．は０であるので、メインエリアについての外部設定情報であると判断し、その外部設定情報に含まれる入力値をチェックする（図１６に示すステップ２０６）。
【００７３】
この場合、入力値は０であるので、ＣＰＵ５−２は、その入力値を制御指令としてメイン照明２へ送り、メイン照明２を強制的に消灯させる（ステップ２０７）。そして、メイン照明データテーブルＴＢ３のデータを更新し（ステップ２０８）、その「外部設定器状態」を「ＯＦＦ」とし、その「ステータス」を「ＯＦＦ」とする。
【００７４】
メイン照明データテーブルＴＢ３において、「外部設定器状態」が「ＯＦＦ」とされると、図８に示したフローチャートのステップ１１１では「外部設定器状態」が「ＯＦＦ」と判断され、ステップ１１７へ進む。ステップ１１７では、全エリアのトータル在室者数を確認し、トータル在室者数が０であればステップ１１８へ進み、トータル在室者数が０でなければステップ１１９へ進む。ステップ１１８では、メイン照明データテーブルＴＢ３のデータを更新し、その「コマンド」を「ＯＦＦ」とする。ステップ１１９では、メイン照明データテーブルＴＢ３のデータを更新し、その「コマンド」を「ＯＮ」にする。
【００７５】
〔メイン照明、強制オン〕
外部設定器６において、メイン照明２について「強制オン」を設定すれば、外部設定情報として「エリアＮＯ．０」と「入力値１」が照明コントローラ５へ送られる。ＣＰＵ５−２は、外部設定器６からの外部設定情報を受けて、その外部設定情報に含まれるエリアＮＯ．をチェックする（ステップ２０１）。この場合、エリアＮＯ．は０であるので、メインエリアＡＲ０についての外部設定情報であると判断し、その外部設定情報に含まれる入力値をチェックする（ステップ２０６）。
【００７６】
この場合、入力値は１であるので、ＣＰＵ５−２は、その入力値を制御指令としてメイン照明２へ送り、メイン照明２を強制的に点灯させる（ステップ２０７）。そして、メイン照明データテーブルＴＢ３のデータを更新し（ステップ２０８）、その「外部設定器状態」を「ＯＮ」とし、その「ステータス」を「ＯＮ」とする。
【００７７】
メイン照明データテーブルＴＢ３において、「外部設定器状態」が「ＯＮ」とされると、図８に示したフローチャートのステップ１１１では「外部設定器状態」が「ＯＮ」と判断され、ステップ１１７へ進む。ステップ１１７では、全エリアのトータル在室者数を確認し、トータル在室者数が０であればステップ１１８へ進み、トータル在室者数が０でなければステップ１１９へ進む。ステップ１１８では、メイン照明データテーブルＴＢ３のデータを更新し、その「コマンド」を「ＯＦＦ」とする。ステップ１１９では、メイン照明データテーブルＴＢ３のデータを更新し、その「コマンド」を「ＯＮ」にする。
【００７８】
〔メイン照明、自動制御〕
外部設定器６において、メイン照明２について「自動制御」を設定すれば、外部設定情報として「エリアＮＯ．０」と「入力値２」が照明コントローラ５へ送られる。ＣＰＵ５−２は、外部設定器６からの外部設定情報を受けて、その外部設定情報に含まれるエリアＮＯ．をチェックする（ステップ２０１）。この場合、エリアＮＯ．は０であるので、メインエリアＡＲ０についての外部設定情報であると判断し、その外部設定情報に含まれる入力値をチェックする（ステップ２０６）。
【００７９】
ここで、入力値は２であるので、メイン照明データテーブルＴＢ３におけるコマンド値を制御指令としてメイン照明２へ送り、メイン照明２を点灯あるいは消灯させる（ステップ２０９）。これにより、室内１におけるメイン照明制御は、一時的に中断されていた在室者数に基づく自動制御に復帰する。そして、メイン照明データテーブルＴＢ３のデータを更新し（ステップ２０８）、その「外部設定器状態」を「自動」とし、その「ステータス」を「ＯＮ」あるいは「ＯＦＦ」とする。
【００８０】
メイン照明データテーブルＴＢ３において、「外部設定器状態」が「自動」とされると、図８に示したフローチャートのステップ１１１では「外部設定器状態」が「自動」と判断され、先に説明したステップ１１２以降の処理が実行される。
【００８１】
〔サブ照明、強制オフ〕
外部設定器６において、例えばサブ照明３−１について「強制オフ」を設定すれば、外部設定情報として「エリアＮＯ．１」と「入力値０」が照明コントローラ５へ送られる。ＣＰＵ５−２は、外部設定器６からの外部設定情報を受けて、その外部設定情報に含まれるエリアＮＯ．をチェックする（ステップ２０１）。この場合、エリアＮＯ．は１であるので、サブエリアＡＲ１についての外部設定情報であると判断し、その外部設定情報に含まれる入力値をチェックする（ステップ２０２）。
【００８２】
この場合、入力値は０であるので、ＣＰＵ５−２は、その入力値を制御指令としてサブ照明３−１へ送り、サブ照明３−１を強制的に消灯させる（ステップ２０３）。そして、サブエリアデータテーブルＴＢ２のデータを更新し（ステップ２０４）、エリアＮＯ．１の「外部設定器状態」を「ＯＦＦ」とし、「ステータス」を「ＯＦＦ」とする。
【００８３】
サブエリアデータテーブルＴＢ２において、「外部設定器状態」が「ＯＦＦ」とされると、図９に示したフローチャートのステップ１２１では「外部設定器状態」が「ＯＦＦ」と判断され、ステップ１２２以降の処理は行われなくなる。これにより、サブエリアＡＲ１でのサブ照明３−１の自動制御、在室者からの手動操作要求に従う制御よりも、外部設定器６によるサブ照明３−１の「強制オフ」が優先されるものとなる。
【００８４】
〔サブ照明、強制オフ〕
外部設定器６において、例えばサブ照明３−１について「強制オン」を設定すれば、外部設定情報として「エリアＮＯ．１」と「入力値１」が照明コントローラ５へ送られる。ＣＰＵ５−２は、外部設定器６からの外部設定情報を受けて、その外部設定情報に含まれるエリアＮＯ．をチェックする（ステップ２０１）。この場合、エリアＮＯ．は１であるので、サブエリアＡＲ１についての外部設定情報であると判断し、その外部設定情報に含まれる入力値をチェックする（ステップ２０２）。
【００８５】
この場合、入力値は１であるので、ＣＰＵ５−２は、その入力値を制御指令としてサブ照明３−１へ送り、サブ照明３−１を強制的に点灯させる（ステップ２０３）。そして、サブエリアデータテーブルＴＢ２のデータを更新し（ステップ２０４）、エリアＮＯ．１の「外部設定器状態」を「ＯＮ」とし、「ステータス」を「ＯＮ」とする。
【００８６】
サブエリアデータテーブルＴＢ２において、「外部設定器状態」が「ＯＮ」とされると、図９に示したフローチャートのステップ１２１では「外部設定器状態」が「ＯＮ」と判断され、ステップ１２２以降の処理は行われなくなる。これにより、サブエリアＡＲ１でのサブ照明３−１の自動制御、在室者からの手動操作要求に従う制御よりも、外部設定器６によるサブ照明３−１の「強制オン」が優先されるものとなる。
【００８７】
〔サブ照明、自動制御〕
外部設定器６において、例えばサブ照明３−１について「自動制御」を設定すれば、外部設定情報として「エリアＮＯ．１」と「入力値２」が照明コントローラ５へ送られる。ＣＰＵ５−２は、外部設定器６からの外部設定情報を受けて、その外部設定情報に含まれるエリアＮＯ．をチェックする（ステップ２０１）。この場合、エリアＮＯ．は１であるので、サブエリアＡＲ１についての外部設定情報であると判断し、その外部設定情報に含まれる入力値をチェックする（ステップ２０２）。
【００８８】
この場合、入力値は２であるので、ＣＰＵ５−２は、サブエリアデータテーブルＴＢ２におけるコマンド値を制御指令としてサブ照明３−１へ送り、サブ照明３−１を点灯あるいは消灯させる（ステップ２０５）。これにより、サブエリアＡＲ１におけるサブ照明制御は、一時的に中断されていた在室者数に基づく自動制御あるいは在室者からの手動操作要求に従う制御に復帰する。そして、サブエリアデータテーブルＴＢ２のデータを更新し（ステップ２０４）、エリアＮＯ．１の「外部設定器状態」を「自動」とし、「ステータス」を「ＯＮ」あるいは「ＯＦＦ」とする。
【００８９】
〔実施の形態２：ブラインド制御システム〕
図１７は本発明に係る調光制御システム他の実施の形態を示すブラインド制御システムの構成図である。同図において、７は４つのエリア（調光ゾーン）Ｚ１〜Ｚ４に区画された室内（調光対象空間）、７−１〜７−４はエリアＺ１〜Ｚ４をその調光対象領域とするブラインド、８−１〜８−４はブラインド７−１〜７−４を開閉するアクチュエータである。アクチュエータ８−１〜８−４は、ブラインドコントローラ９からの制御指令を受けて、ブラインド７−１〜７−４を全開／全閉とする。室内７には実施の形態１と同様に複数の送信機能付き椅子４が設けられている。
【００９０】
ブラインドコントローラ９には、データベース９−１と、アクチュエータ８−１〜８−４への制御指令を生成するブラインド制御プログラム９Ａを実行するＣＰＵ９−２と、室内７における各椅子４から送信されてくる送信メッセージ（椅子ＩＤ、椅子相対座標、着席検出情報、設定コマンド）を受信する受信器９−３とが設けられている。
【００９１】
このブラインド制御システムの構成は、図１に示した照明制御システムにおいて、サブ照明３−１〜３−４をブラインド７−１〜７−４に置き換え、メイン照明２を取り除いた構成に等しい。図１８に図５に対応する図を、図１９に図７に対応するフローチャートを、図２０に図９に対応するフローチャートを、図２１に図１２に対応するフローチャートを、図２２に図１５に対応するフローチャートを示し、その動作の説明は省略する。
【００９２】
以上の説明から分かるように、本実施の形態の調光制御システムでは、通常は椅子４からの椅子相対座標や着席検出情報に基づいて調光対象空間への光が制御（自動制御）され、在室者が操作器４−１３を操作して手動操作要求をコントローラに送れば、椅子４からの椅子相対座標や着席検出情報に基づく自動制御が一時的に中断され、手動操作要求に従う制御が実行され、会議でＯＨＰを見るなどの特殊なケースが発生した場合、照明を消灯したり、ブラインドを閉じたりして調光対象空間を暗くすることが可能となり、調光の自動制御と在室者の希望とを両立させることができるようになる。
【００９３】
なお、上述した実施の形態１や２では、調光対象空間における在室者の位置や人数を送信機能付きの椅子からの送信メッセージに基づいて検出するようにしたが、例えばカメラからの映像を解析して在室者の位置や人数を検出するようにしてもよく、在室者の位置や人数の検出には他にも色々な方法が考えられる。実施の形態１，２では、調光対象空間に置かれる椅子に１つずつ着席検出スイッチを設けているので、在室者の在／不在の検出が確実となる。
【００９４】
また、上述した実施の形態１や２では、在室者からの手動操作要求や自動制御要求を入力するための操作器を椅子に設けるようにしたが、調光対象空間の壁などに１つだけ設けるようにするなどとしてもよい。操作器を椅子に１つずつ設けることにより、在室者は椅子に座ったままでコントローラへ要求を伝えることができ、利便性がアップする。
【００９５】
また、上述した実施の形態１や２では、操作器を介する在室者からの手動操作要求として消灯要求やブラインド閉要求を送るようにしたが、照明の強弱やブラインドの開度を指定する要求などとしてもよい。例えば、照明の明るさとして強中弱を設け、操作器を介して強から中に変更したり、弱に変更したりできるようにしてもよい。ブラインドについても、そのブラインド角度やブラインド長さを複数段階設け、操作器を介して指定できるようにしてもよい。
【００９６】
また、上述した実施の形態１や２では、調光対象空間を複数のエリア（ゾーン）に区画した例で説明したが、調光対象空間は必ずしも複数の区画に分割されていなくてもよい。すなわち、上述した実施の形態１や２において、１つのサブエリアＡＲ１を独立した調光対象空間と考えることもできる。
【００９７】
また、上述した実施の形態では、実施の形態１において照明の点灯／消灯を制御するようにし、実施の形態２においてブラインドの開／閉を制御するようにしたが、実施の形態１と実施の形態２とを組み合わせて、照明の点灯／消灯とブラインドの開／閉の両方を同時に制御するようにしてもよい。また、制御する対象は、照明やブラインドに限られるものではなく、カーテンの開閉などであってもよい。
【００９８】
また、操作器４−１３の操作位置を「ＯＦＦ」として椅子４から人が離席した場合、照明制御やブラインド制御を自動制御に自動的に復帰させるようにしてもよい。
【図面の簡単な説明】
【００９９】
【図１】本発明の一実施の形態（実施の形態１）を示す照明制御システムの構成図である。
【図２】この照明制御システムに用いる送信機能付き椅子の外観を例示する図である。
【図３】送信機能付き椅子に人が着席した状態を示す図である。
【図４】送信機能付き椅子に搭載された装置のブロック図である。
【図５】この照明制御システムに用いる照明コントローラの要部を示すブロック図である。
【図６】照明コントローラのデータベースに格納されている椅子情報テーブル、サブエリアデータテーブルおよびメイン照明データテーブルを示す図である
【図７】照明制御プログラムに従うＣＰＵの処理動作のスタート部分を示すフローチャートである。
【図８】図７のフローチャートに続くメイン照明制御のフローチャートである。
【図９】図７のフローチャートに続くサブ照明制御のフローチャートである。
【図１０】在室者数の増加減少に伴うメイン照明およびサブ照明の制御状況を説明する図である。
【図１１】操作器を介する在室者からの要求に従うサブ照明の制御状況を説明する図である。
【図１２】操作器を介する在室者からの要求に従うサブ照明制御を説明するフローチャートである。
【図１３】操作器からの要求の後優先を説明する図である。
【図１４】操作器からの要求の後優先に際するサブエリアデータテーブルの更新状況を示す図である。
【図１５】外部設定器から外部設定情報が入力された場合のサブ照明制御を示すフローチャートである。
【図１６】外部設定器から外部設定情報が入力された場合のメイン照明制御を示すフローチャートである。
【図１７】本発明の他の実施の形態（実施の形態２）を示すブラインド制御システムの構成図である。
【図１８】このブラインド制御システムに用いるブラインドコントローラの要部を示すブロック図である。
【図１９】ブラインド制御プログラムに従うＣＰＵの処理動作のスタート部分を示すフローチャート  である。
【図２０】図１９のフローチャートに続くブラインド制御のフローチャートである。
【図２１】操作器を介する在室者からの要求に従うブラインド制御を説明するフローチャートである。
【図２２】外部設定器から外部設定情報が入力された場合のブラインド制御を示すフローチャートである。
【符号の説明】
【０１００】
１…室内（調光対象空間）、ＡＲ０…メインエリア、ＡＲ１〜ＡＲ４…サブエリア、２…メイン照明、３（３−１〜３−４）…サブ照明、４（４１〜４８）…椅子、４−６…着席検出スイッチ、４−１３…操作器、５…照明コントローラ、５−１…データベース、５−２…ＣＰＵ、５−３…受信器、５Ａ…照明制御プログラム、ＴＢ１…椅子情報テーブル、ＴＢ２…サブエリアデータテーブル、ＴＢ３…メイン照明データテーブル、６…外部設定器、７…室内（調光対象空間）、Ｚ１〜Ｚ４…エリア、７−１〜７−４…ブラインド、８−１〜８−４…アクチュエータ、 ９…ブラインドコントローラ、９−１…データベース、９−２…ＣＰＵ、９−３…受信器、９Ａ…ブラインド制御プログラム。
【図１】
2005235532.tif 000003
【図２】
2005235532.tif 000004
【図３】
2005235532.tif 000005
【図４】
2005235532.tif 000006
【図５】
2005235532.tif 000007
【図６】
2005235532.tif 000008
【図７】
2005235532.tif 000009
【図８】
2005235532.tif 000010
【図９】
2005235532.tif 000011
【図１０】
2005235532.tif 000012
【図１１】
2005235532.tif 000013
【図１２】
2005235532.tif 000014
【図１３】
2005235532.tif 000015
【図１４】
2005235532.tif 000016
【図１５】
2005235532.tif 000017
【図１６】
2005235532.tif 000018
【図１７】
2005235532.tif 000019
【図１８】
2005235532.tif 000020
【図１９】
2005235532.tif 000021
【図２０】
2005235532.tif 000022
【図２１】
2005235532.tif 000023
【図２２】
2005235532.tif 000024